【事件の表示】
　平成　７年特許願第２９７６９２号「建物」拒絶査定に対する審判事件［平成　９年　４月２８日出願公開、特開平　９−１１１８７３］について、次のとおり審決する。
【結　論】
　本件審判の請求は、成り立たない。
【理　由】
１．手続の経緯
　本願は、平成７年１０月２１日の出願であって、平成１３年３月３０日付けで拒絶査定され、これに対し、同年５月２４日に拒絶査定に対する審判請求がなされるとともに、同年６月２５日付けで手続補正がなされたものである。
　　　　　
２．平成１３年６月２５日付けの手続補正についての補正却下の決定
［結論］
　平成１３年６月２５日付けの手続補正を却下する。
［理由］
（１）補正後の請求項１記載の発明
　本件補正により、特許請求の範囲の請求項１は、
「【請求項１】　下記の壁構造を有することを特徴とする建物。
（ａ）　土台(1B)と柱(1A)が継手(2)を介して連結されて壁が構築されている。
（ｂ）  柱(1A)と、桁(1a)や梁(1b)等の水平構造材(1C)とが継手(2)を介して連結されて壁が構築されている。
（ｃ）　継手(2)は、柱(1A)の先端部を嵌入する柱連結筒(3A)と、土台(1B)や桁(1a)や梁(1b)等の水平構造材(1C)を嵌入する水平連結筒(3B)とを有する。
（ｄ）　柱連結筒(3A)と水平連結筒(3B)とは直交する方向に連結されている。
（ｅ）　土台(1B)に連結される継手の水平連結筒(3B)は、下面を開口して嵌入開口(3C)としており、桁(1a)や梁(1b)等の水平構造材(1C)を連結する水平連結筒(3B)は上面を開口して嵌入開口(3C)としている。
（ｆ）　柱連結筒(3A)は、柱(1A)を貫通して固定する止孔(3D)が開口されており、この止孔(3D)に挿入されたボルトや釘等の止材(7)で、柱(1A)が柱連結筒(3A)に連結されている。
（ｇ）　水平連結筒(3B)は、水平構造材を貫通して固定する止孔(3D)が開口されており、この止孔(3D)に挿入されたボルトや釘等の止材(7)で、水平構造材(1C)が水平連結筒(3B)に連結されている。
（ｈ）  継手(2)が、筋かい(5)を連結する連結片(10)を有し、この連結片(10)に筋かい(5)の両端が連結されて、隣接する柱(1A)の間に対角線状に筋かい(5)が連結されている。
（ｉ）　連結片(10)は、柱連結筒(3A)及び水平連結筒(3B)の側面を延長して一体的に成形した板状のもので、筋かい(5)を連結する連結孔(10A)を有する。
（ｊ）  
基礎のコーナー部に固定される継手(2)は、水平連結筒(3B)をＬ字状とし、Ｌ字状のコーナーに角筒状の柱連結筒(3A)を固定しており、角筒状の柱連結筒(3A)と水平連結筒(3B)の側面を延長して一体的に成形した板状の連結片(10)が、Ｌ字状の水平連結筒(3B)の側面に直交して設けられている。（ｋ） 
（ｌ）　基礎のコーナー部の継手(2)は、Ｌ字状に形成されることによって柱連　結筒(3A)の隣接する２面に突出している水平連結筒(3B)に止孔(3D)を設けており、アンカーボルト(8)が水平連結筒(3B)の上面に設けた止孔(3D)に貫通され、アンカーボルト(8)が、土台(1B)と水平連結筒(3B)を貫通して、土台(1B)と継手(2)を基礎(4)のコーナー部に固定している。
基礎のコーナー部の継手(2)は、水平連結筒(3B)の上面に設けた止孔(3D)に貫通されるアンカーボルト(8)が、土台(1B)と継手(2)を基礎(4)のコーナー部に固定すると共に、　さらにＬ字状に形成されることによって柱連結筒(3A)の隣接する２面に突出している水平連結筒(3B)は、上面に加えて側面にも止孔(3D)を設けており、側面の止孔(3D)に挿入されたボルトや釘等の止材(7)で、水平連結筒(3B)の側面を土台(1C)に連結している。（ｎ）　筋かい(5)が隣接する柱(1A)の間にＸ字状に交差して連結されると共に、この筋かい(5)は木製の角材で、中点で交差する部分に連結用の切込みを組み設け、切込みを互いに嵌入して、２本の筋かい(5)を同一平面に連結している。
と補正された。
　上記補正は、補正前の請求項１に記載した発明を特定するために必要な事項である「継手」のうち「基礎のコーナー部に固定される継手」について、（ｊ）、（ｌ）、（ｍ）に記載のように、より具体的に限定したものであると共に、「筋かい」についても、（ｎ）に記載のように、より具体的に限定したものであるから、特許法第１７条の２第４項第２号の特許請求の範囲の減縮を目的とするものに該当する。
　そこで、上記補正後における特許請求の範囲の請求項１に記載されている事項により特定される発明（以下、「上記補正後の請求項１記載の発明」という。）が特許出願の際独立して特許を受けることができるものであるかについて以下に検討する。
　　　　　
（２）引用文献の記載事項
　原査定の拒絶の理由に引用され、本願の出願前に国内に頒布された刊行物である実願昭５６−４９７６４号（実開昭５７−１６１６０９号）のマイクロフィルム（以下、「引用文献１」という。）には、
「第１図に示すように、この考案の結合金具１は鋼材で形成されており、第１嵌合部２と第２嵌合部３とを具えている。
　第１嵌合部２は断面が方形でかつ中空となつており、その１側板４に断面がコ字形となつている第２嵌合部３の端部が接合されている。……第１嵌合部２の互いに平行となる１対の側板４，５および第２嵌合部３の互いに平行となる１対の側板６，７には、相対向する位置にそれぞれ透孔８，８および透孔９，９が設けられている。
　第１嵌合部２および第２嵌合部３の互いに直角となつた各側板４，１０には補強板１１が連接されていて、この補強板１１には複数の釘穴１２が設けられている。」（２頁１２行〜３頁８行）、
「第２図に示す結合金具１３は第１嵌合部２の互いに平行な１対の側板４，５のそれぞれに第２嵌合部３を接合し、第１嵌合部２および第２嵌合部３の互いに直角となつた各側板４，１０および５，１０に補強板１１，１１を連接したものである。
　第３図に示す結合金具１４は、第１嵌合部２の隣り合う２つの側板４，１７のそれぞれに、第２嵌合部３を接合し、前記と同様にして補強板１１を連接したものである。」（３頁１０〜１９行）、
「木材１９の１側に木材２１を結合する場合は結合金具１が用いられ、施工時には結合金具１の第１嵌合部２に木材１９を嵌合するとともに、第２嵌合部３に木材２１を嵌合し、第１嵌合部２の透孔８，８および木材１９に形成した透孔にボルト・ナツト２６を装着するとともに、第２嵌合部３の透孔９，９および木材２１にあらかじめ形成した透孔にボルト・ナツト２６を装着してこれらボルト・ナツト２６を緊締し、これにより木材１９と木材２１とが結合される。」（４頁２０行〜５頁９行）及び
「２７は筋違いであつて、対角をなす２つの結合金具例えば結合金具１３，１４間に配置され、筋違い２７はその両端部が結合金具１３，１４の各補強板１１，１１に釘穴１２を介して釘止めされる。」（６頁１〜５行）と記載されており、
　第７図には、「土台２３〜２５と柱１９、２０が結合金具１４，１３を介して連結され、 柱１９，２０と桁２１，２２等の水平構造材とが結合金具１，１３を介して連結され、壁が構築されており、土台２３〜２５に連結される結合金具１４，１３の第２嵌合部３は、下面を開口して嵌入開口としており、桁２１，２２等の水平構造材を連結する第２嵌合部３は上面を開口して嵌入開口としており、補強板１１に筋違い２７の両端が連結されて、隣接する柱１９，２０の間に対角線状に筋違い２７が連結されている構造。」、
　第１〜５図には、「結合金具１，１３〜１６は、柱１９，２０の先端部を嵌入する第１嵌合部２と、土台２３〜２５や桁２１，２２等の水平構造材を嵌入する第２嵌合部３とを有すること。」及び
　第３及び７図には、「土台２３，２４のコーナー部に固定される結合金具１４は、第２嵌合部３をＬ字状とし、Ｌ字状のコーナーに角筒状の第１嵌合部２を固定しており、角筒状の第１嵌合部２と第２嵌合部３に板状の補強板１１が、Ｌ字状の第２嵌合部３に直交して設けられ、土台２３，２４のコーナー部の結合金具１４は、Ｌ字状に形成されることによって第１嵌合部２の隣接する２面に突出している第２嵌合部３の側面に透孔９，９を設け、側面の透孔９，９に挿入されたボルト２６等の止材で、土台２３，２４と第２嵌合部３を貫通して、第２嵌合部３の側面を土台２３，２４に連結している構造。」がそれぞれ記載されている。
　以上の記載からみて、引用文献１には、
「土台２３〜２５と柱１９，２０と、柱１９，２０と桁２１，２２等の水平構造材とが、それぞれ結合金具１，１３〜１６を介して連結されて壁が構築され、結合金具１，１３〜１６は、柱１９，２０の先端部を嵌入する第１嵌合部２と、土台２３〜２５や桁２１，２２等の水平構造材を嵌入する第２嵌合部３とを有し、第１嵌合部２と第２嵌合部３とは直交する方向に連結されおり、土台２３〜２５に連結される結合金具１４，１３の第２嵌合部３は、下面を開口して嵌入開口としており、桁２１，２２等の水平構造材を連結する第２嵌合部３は上面を開口して嵌入開口としており、第１嵌合部２は、柱１９，２０を貫通して固定する透孔８，８が開口されており、この透孔８，８に挿入されたボルト２６等の止材で、柱１９，２０が第１嵌合部２に連結され、第２嵌合部３は、水平構造材を貫通して固定する透孔９，９が開口されており、この透孔９，９に挿入されたボルト２６等の止材で、水平構造材が第２嵌合部３に連結されており、結合金具１，１３〜１６は、筋違い２７を連結する補強板１１を有し、補強板１１には、筋違い２７を連結する釘穴１２を有し、この補強板１１に筋違い２７の両端が連結されて、隣接する柱１９，２０の間に対角線状に筋違い２７が連結されている。そして、土台２３，２４のコーナー部に固定される結合金具１４は、第２嵌合部３をＬ字状とし、Ｌ字状のコーナーに角筒状の第１嵌合部２を固定しており、角筒状の第１嵌合部２と第２嵌合部３の側面に板状の補強板１１が、Ｌ字状の第２嵌合部３に直交して設けられ、土台２３，２４のコーナー部の結合金具１４は、Ｌ字状に形成されることによって第１嵌合部２の隣接する２面に突出している第２嵌合部３の側面に透孔９，９を設け、側面の透孔９，９に挿入されたボルト２６等の止材で、土台２３，２４と第２嵌合部３を貫通して、第２嵌合部３の側面を土台２３，２４に連結してなる壁構造を有する建物。」という発明が記載されていると認められる。
　同じく、実願昭５４−１６１３２０号（実開昭５６−７６８０６号）のマイクロフィルム（以下、「引用文献２」という。）には、
　第６，７〜１２，１７図に、「木造建築の骨組接合金物において、柱１３の支持枠２及び土台１２または梁１４、１５等の水平構造材の支持枠３の側面を延長して一体的に板状の連結片を成形し、該連結片にはブレース１１を連結するブレース支持点１０を有し、連結片にブレース１１の両端が連結されて、隣接する柱１３の間に対角線状でかつＸ字状に交差して連結されている構造。」が記載されている。　　
　同じく、特開平６−１３６８２７号公報（以下、「引用文献３」という。）には、
「布基礎１０の直角をなすコーナー部において、その両側に壁パネル固定用アンカーボルト１４，１４が夫々埋設されると共に、コーナー頂点部に柱固定用アンカーボルト１５が埋設されている。以上の布基礎１０コーナー部上面に…床パネル１２が敷き込まれると共に、その外側には、…半土台１３，１３が夫々取り付けられている。そして、床パネル１２および半土台１３，１３によるコーナー部上には、…コ−ナー柱３０が立てられる。……各アンカーボルト１４，１４，１５が、床パネル１２および半土台１３，１３間であって、その上方に突出している。……コーナー柱緊結金物２０は、図２に示すように、コーナー柱３０に対応して…平板による底板部２１と、この底板部２１上の直角をなして隣接する２辺から溶接により垂直に各々起設されて一体化した、…平板による２枚の柱支持板部２３，２３とからなる。……底板部２１の中央に、…円形の取付孔２２を形成する」（３欄２８行〜４欄５行）及び
「このコーナー柱３０の立て方について説明する。図１および図４に示すように、先ず、柱固定用アンカーボルト１５が突出する床パネル１２および半土台１３，１３によるコーナー部上に、コーナー柱緊結金物２０の底板部２１を載せる。即ち、アンカーボルト１５を底板部２１の誤差吸収を縦横方向に自在とする径の大きな取付孔２２から突出させ、取付孔２２上にワッシャ２５を当てて、アンカーボルト１５にナット２６を締め込む。これにより、コーナー柱緊結金物２０を固定する。この固定状態で、その柱支持板部２３，２３は、前記壁パネル固定用アンカーボルト１４，１４の方向に各々立てられた状態となっている。……このコーナー柱緊結金物２０にコーナー柱３０の下部を釘止めにより固定する。」（４欄１５〜２８行）と記載されている。
　　　　　　　
（３）対比・判断
　上記補正後の請求項１記載の発明と引用文献１記載の発明とを比較すると、
　引用文献１記載の発明の「結合金具」、「第１嵌合部」、「第２嵌合部」、「透孔８，８又は透孔９，９」、「補強板」及び「釘穴」は、上記補正後の請求項１記載の発明の「継手」、「柱連結筒」、「水平連結筒」、「止孔」、「連結片」及び「連結孔」に相当しているから、両者は、
「　下記の壁構造を有することを特徴とする建物。
（ａ）　土台(1B)と柱(1A)が継手(2)を介して連結されて壁が構築されている。
（ｂ）　柱(1A)と、桁(1a)や梁(1b)等の水平構造材(1C)とが継手(2)を介して連結されて壁が構築されている。
（ｃ）　継手(2)は、柱(1A)の先端部を嵌入する柱連結筒(3A)と、土台(1B)や桁(1a)や梁(1b)等の水平構造材(1C)を嵌入する水平連結筒(3B)とを有する。
（ｄ）　柱連結筒(3A)と水平連結筒(3B)とは直交する方向に連結されている。
（ｅ）　土台(1B)に連結される継手の水平連結筒(3B)は、下面を開口して嵌入開口(3C)としており、桁(1a)や梁(1b)等の水平構造材(1C)を連結する水平連結筒(3B)は上面を開口して嵌入開口(3C)としている。
（ｆ）　柱連結筒(3A)は、柱(1A)を貫通して固定する止孔(3D)が開口されており、この止孔(3D)に挿入されたボルトや釘等の止材(7)で、柱(1A)が柱連結筒(3A)に連結されている。
（ｇ）　水平連結筒(3B)は、水平構造材を貫通して固定する止孔(3D)が開口されており、この止孔(3D)に挿入されたボルトや釘等の止材(7)で、水平構造材(1C)が水平連結筒(3B)に連結されている。
（ｈ）　継手(2)が、筋かい(5)を連結する連結片(10)を有し、この連結片(10)に筋かい(5)の両端が連結されて、隣接する柱(1A)の間に対角線状に筋かい(5)が連結されている。
（ｉ）’　連結片(10)は、筋かい(5)を連結する連結孔(10A)を有する。
（ｊ）’　基礎のコーナー部に固定される継手(2)は、水平連結筒(3B)をＬ字状とし、Ｌ字状のコーナーに角筒状の柱連結筒(3A)を固定している。
（ｋ）’　土台(1B)と柱を連結する継手の水平連結筒(3B)に土台(1B)が嵌入されている。
（ｌ）’　基礎のコーナー部の継手(2)は、Ｌ字状に形成されている。
（ｍ）’　基礎のコーナー部の継手(2)は、Ｌ字状に形成されることによって柱連結筒(3A)の隣接する２面に突出している水平連結筒(3B)は、上面に加えて側面にも止孔(3D)を設けており、側面の止孔(3D)に挿入されたボルトや釘等の止材(7)で、水平連結筒(3B)の側面を土台(1C)に連結している。」点で一致し、次の各点で相違する。
１）上記補正後の請求項１記載の発明は、連結片が柱連結筒及び水平連結筒の側面を延長して一体的に成形したもので、基礎のコーナー部に固定される継手では、連結片がＬ字状の水平連結筒の側面に直交して設けられている（上記（i）、（j）の一部）のに対して、引用文献１記載の発明は、そのようになっていない点、
２）上記補正後の請求項１記載の発明は、土台の上面に突出するアンカーボルトが水平連結筒の上面に設けた止孔に貫通され、アンカーボルトが、土台と水平連結筒を貫通して、土台と継手を基礎に固定しており、また、基礎のコーナー部の継手は、柱連結筒の隣接する２面に突出している水平連結筒に止孔を設けており、アンカーボルトが水平連結筒の上面に設けた止孔に貫通され、アンカーボルトが、土台と水平連結筒を貫通して、土台と継手を基礎のコーナー部に固定している（上記（k）、(l)、(m)の一部）のに対して、引用文献１記載の発明は、そのような構成を具備していない点、
３）上記補正後の請求項１記載の発明は、筋かいが隣接する柱の間にＸ字状に交差して連結されると共に、この筋かいは木製の角材で、中点で交差する部分に連結用の切込みを組み設け、切込みを互いに嵌入して、２本の筋かいを同一平面に連結している（上記(n)）のに対して、引用文献１では、その点が記載されていない点。
　そこで、上記相違点について検討すると、
　相違点１）について
　引用文献２には、「木造建築の骨組接合金物（上記補正後の請求項１記載の発明における「継手」に相当する。以下、括弧内は、上記補正後の請求項１記載の発明の相当する事項を示す。）において、柱の支持枠（「柱連結筒」）及び土台または梁等の水平構造材の支持枠（「水平連結筒」）の側面を延長して一体的に板状の連結片を成形し、該連結片にはブレース１１（「筋かい」）を連結するブレース支持点１０を有し、連結片にブレース１１の両端が連結されて、隣接する柱１３の間に対角線状でかつＸ字状に交差して連結されるようにしたもの」が記載されており、引用文献１記載の発明の補強板（「連結片」）に代えて、上記相違点１）における上記補正後の請求項１記載の発明のような継手及びコーナー部に固定される継手での連結片の構造とすることは、当業者が容易に設計変更できることにすぎない。
　相違点２）について
　引用文献３には、「基礎１０のコーナー部において、土台１３の上面より突出する柱固定用アンカーボルト１５（「アンカーボルト」）が、コーナー柱３０を連結するコーナー柱繋結金物２０（「継手」）の底板部２１に設けた取付孔２２（「止孔」）に貫通され、柱固定用アンカーボルト１５（「アンカーボルト」）が土台１３とコーナー柱緊結金物２０（「継手」）の底板部を貫通して、土台１３とコーナー柱緊結金物２０（「継手」）を基礎１０のコーナー部に固定する構造。」からなる発明が記載されていると認められ、引用文献１記載の発明の継手及びコーナー部の継手構造において、アンカーボルトを水平連結筒の上面に貫通して設けられるようにすることは、当業者が容易になし得ることにすぎない。
　相違点３）について
　本願の出願前、筋かいを隣接する柱の間にＸ字状に交差して連結すること及び筋かいは木製の角材で構成することは、例示するまでもなく普通に行われていることであり、また中点で交差する筋かい部分に連結用の切込みを組み設け、切込みを互いに嵌入して、２本の筋かいを同一平面に連結することも、周知の技術事項にすぎない（例えば、実願昭４９−６７０２０号（実開昭５０−１５５８０９号）のマイクロフィルム、実願昭５４−１７５６５０号（実開昭５６−８９８０７号）のマイクロフィルムを参照されたい。）から、相違点３）における上記補正後の請求項１記載の発明の事項は、当業者が必要に応じて容易に想到できることにすぎない。
　したがって、上記補正後の請求項１記載の発明は、引用文献１〜３記載の発明及び上記周知の技術事項に基いて当業者が容易に発明をすることができるものであり、特許法第２９条第２項の規定により特許を受けることができない。
　　　　
（４）むすび
　以上のとおり、上記補正後における特許請求の範囲の請求項１に記載されている事項により特定される発明は、特許出願の際独立して特許を受けることができないものであるから、上記補正は、特許法第１７条の２第５項の規定により準用される同法第１２６条第４項の規定に違反するものであり、同法第１５９条第１項の規定により読み替えて準用される同法第５３条第１項の規定により却下されるべきものである。
　よって、結論のとおり決定をする。
　　　　　　　　
３．本願の請求項１に係る発明について
　平成１３年６月２５日付けの手続補正は上記のとおり却下され、また平成１３年３月１２日付けの手続補正も却下されているので、本願の特許請求の範囲の請求項１に係る発明（以下、「本願の請求項１に係る発明」という。）は、平成１２年１２月４日付け手続補正書により全文補正された明細書及び図面の記載からみて、その特許請求の範囲の請求項１に記載された事項により特定される以下のとおりのものである。
「【請求項１】　下記の壁構造を有することを特徴とする建物。
（ａ）　土台(1B)と柱(1A)が継手(2)を介して連結されて壁が構築されている。
（ｂ）  柱(1A)と、桁(1a)や梁(1b)等の水平構造材(1C)とが継手(2)を介して連結されて壁が構築されている。
（ｃ）　継手(2)は、柱(1A)の先端部を嵌入する柱連結筒(3A)と、土台(1B)や桁(1a)や梁(1b)等の水平構造材(1C)を嵌入する水平連結筒(3B)とを有する。
（ｄ）　柱連結筒(3A)と水平連結筒(3B)とは直交する方向に連結されている。
（ｅ）　土台(1B)に連結される継手の水平連結筒(3B)は、下面を開口して嵌入開口(3C)としており、桁(1a)や梁(1b)等の水平構造材(1C)を連結する水平連結筒(3B)は上面を開口して嵌入開口(3C)としている。
（ｆ）　柱連結筒(3A)は、柱(1A)を貫通して固定する止孔(3D)が開口されており、この止孔(3D)に挿入されたボルトや釘等の止材(7)で、柱(1A)が柱連結筒(3A)に連結されている。
（ｇ）　水平連結筒(3B)は、水平構造材を貫通して固定する止孔(3D)が開口されており、この止孔(3D)に挿入されたボルトや釘等の止材(7)で、水平構造材(1C)が水平連結筒(3B)に連結されている。
（ｈ）  継手(2)が、筋かい(5)を連結する連結片(10)を有し、この連結片(10)に筋かい(5)の両端が連結されて、隣接する柱(1A)の間に対角線状に筋かい(5)が連結されている。
（ｉ）　連結片(10)は、柱連結筒(3A)及び水平連結筒(3B)の側面を延長して一体的に成形した板状のもので、筋かい(5)を連結する連結孔(10A)を有する。
（ｊ）　土台(1B)と柱を連結する継手の水平連結筒(3B)に土台(1B)が嵌入され、土台(1B)の上面に突出するアンカーボルト(8)が水平連結筒(3B)の上面に設けた止孔(3D)に貫通され、アンカーボルト(8)が、土台(1B)と水平連結筒(3B)を貫通して、土台(1B)と継手(2)を基礎(4)に固定している。」
　　　  　
（１）引用文献の記載事項
　原査定の拒絶の理由に引用された引用文献１〜３の記載事項は、前記「２．（２）」に記載したとおりである。
　　　　　　
（２）対比・判断
　本願の請求項１に係る発明は、上記「２．（１）」に記載した補正後の請求項１記載の発明から（j）、(l)〜(n)の構成を省いたものである。
　そうすると、本願の請求項１に係る発明の構成要件を全て含み、さらに他の構成要件を付加したものに相当する補正後の請求項１記載の発明が、上記「２．（３）」に記載したとおりであるから、本願の請求項１に係る発明も、同様の理由により、引用文献１〜３記載の発明に基いて当業者が容易に発明をすることができたものである。
　　　　　　　
（３）むすび
　以上のとおり、本願の請求項１に係る発明は、引用文献１〜３記載の発明に基いて当業者が容易に発明をすることができたものであるから、本願のその他の請求項に係る発明を検討するまでもなく、本願の各請求項に係る発明は、特許法第２９条第２項の規定により特許を受けることができない。
　よって、結論のとおり審決する。